(57)【要約】【課題】    パネル部に所定の強度を付与すると共に、施工現場におけるパネル部の寸法調整が容易に実施し得る建築用防音パネル体を提供する。【解決手段】    間隔をおいて平行に立設したパネル部２の間に吸音材６を配置した建築用防音パネル１において、パネル部２は上下に分割した複数のパネル材４によって形成し、該パネル材は断面略Ｈ字状を呈する連結パネル材４１と、断面略Ｉ字状の中間パネル材４２とから成り、パネル材４は左右方向に連続するアルミニウム製形材によって形成する。【選択図】        図１
2006283311.tif 000002
【特許請求の範囲】
【請求項１】
間隔をおいて平行に立設したパネル部の間に吸音材を配置した建築用防音パネルにおいて、パネル部は上下に分割した複数のパネル材によって形成し、該パネル材は左右方向に連続するアルミニウム製形材によって形成したことを特徴とする建築用防音パネル。
【請求項２】
パネル材は、断面略Ｈ字状を呈する連結パネル材と、断面略Ｉ字状の中間パネル材とから成り、連結パネル材と中間パネル材を交互に配設してパネル部を形成したことを特徴とする請求項１に記載の建築用防音パネル。
【請求項３】
パネル材の上下端に係合縁を形成し、隣接するパネル材の係合縁同士を係合したことを特徴とする請求項１または２に記載の建築用防音パネル。
【請求項４】
パネル材の本体部に移動空間部を形成し、先端部に係合縁を形成した連結部材の基端部を移動空間部に嵌合し、移動空間部に対し連結部材を出入自在としたことを特徴とする請求項３に記載の建築用防音パネル。
【請求項５】
透光部を形成した透光窓材の上下端に係合縁を形成し、透光窓材の係合縁とパネル材の係合縁とを連結したことを特徴とする請求項３または４に記載の建築用防音パネル。
【発明の詳細な説明】
【技術分野】
【０００１】
この発明は、平行に立設したパネル部の間に吸音材を配置した建築用防音パネルであって、フェンスパネル、門扉パネル、簡易構築物のサイドパネル等に利用される。
【背景技術】
【０００２】
従来、道路の側部、住宅の隣地境界等に支柱を立設し、この支柱に防音パネルを取り付けたフェンスが知られている。従来の防音パネルは、平行に立設したアルミニウムパネル等の間に、グラスウール等の吸音材を配置したものであり、フェンスの高さ等を変更する際には、アルミニウムパネルを切断しなければならず、変更作業が甚だ難儀なものであった。また、平板状のアルミニウムパネルはそれ自体の強度が弱く、物が当たったりすると容易に変形してしまい、長期の使用には耐え難いものであった。
【０００３】
特許文献１には、アルミ中空押出し形材によるメインフレームの中空部に、軟質発泡弾性体を挿入したアルミ製防音用構造体が開示されている。特許文献１によれば、防音用構造体のパネル部は中空内部にリブを形成したアルミ中空押出し形材によって形成しているので、アルミ中空押出し形材の表面は容易に変形することなく、長期の使用に耐え得るものである。
【０００４】
さらに、特許文献２には、ＮＯｘ除去性能を有する光触媒コーティング処理を表面板と背面板に施し、表面板と背面板の間に吸音材を設けたＮＯｘ浄化用遮音壁が開示されている。特許文献２においても、表面板並びに背面板は、表面に凹凸を設けたアルミニウム合金の押出型材によって形成しているので、所定の強度を満足し得るものである。
【０００５】
特許文献１，２において、パネル部はリブ等を形成したアルミニウム形材によって形成しているため、単なる板状パネルによって構成したものと比較して強度は満足し得るレベルにあるものの、パネル部の寸法を調整しようとすると、アルミニウム形材を現場で切断しなければならず、大掛かりな切断装置を必要とするものであった。
【０００６】
【特許文献１】特開２００２−１９４８３３号公報
【特許文献２】特開２０００−２６２８６４号公報
【発明の開示】
【発明が解決しようとする課題】
【０００７】
本発明の目的は、パネル部に所定の強度を付与すると共に、施工現場におけるパネル部の寸法調整が容易に実施し得る建築用防音パネル体を提供することにある。
【課題を解決するための手段】
【０００８】
本発明者は、このような事情に鑑み鋭意検討を重ねた結果、間隔をおいて平行に立設したパネル部の間に吸音材を配置した建築用防音パネルにおいて、パネル部は上下に分割した複数のパネル材によって形成し、該パネル材は左右方向に連続するアルミニウム製形材によって形成したことによって、所期の目的を達成したものである。
【０００９】
請求項２に記載の発明は、断面略Ｈ字状を呈する連結パネル材と、断面略Ｉ字状の中間パネル材とから成り、連結パネル材と中間パネル材を交互に配設してパネル部を形成したことことにより、平行に立設したパネル部の連結部分が少なくなり、透過損失が大きくなるので、防音性能を高めることができる。
【００１０】
請求項３に記載の発明は、パネル材の上下端に係合縁を形成し、隣接するパネル材の係合縁同士を係合したことにより、パネル材を切断加工することなく、係合縁同士を係合あるいは解除することによって、パネル部の寸法調整を行なうことができる。
【００１１】
請求項４に記載の発明は、パネル材の本体部に移動空間部を形成し、先端部に係合縁を形成した連結部材の基端部を移動空間部に嵌合し、移動空間部に対し連結部材を出入自在としたことにより、連結部材の出入量を調整して、表面側と裏面側のパネル部の上下方向の長さを変化することができ、上下方向に湾曲した建築用防音パネルを形成することができる。
【００１２】
請求項５に記載の発明は、透光部を形成した透光窓材の上下端に係合縁を形成し、透光窓材の係合縁とパネル材の係合縁とを連結したので、パネル部の適宜位置に透光部を設けることができる。
【発明の効果】
【００１３】
本発明の建築用防音パネルによれば、平行に立設したパネル部を上下に分割した複数のパネル材によって形成し、該パネル材はアルミニウム製形材によって形成したので、パネル部に所定の強度を付与すると共に、パネル部の寸法を調整する際にはパネル材の数を変更するだけで良いので、施行現場における調整作業を容易に為し得るものである。
【発明を実施するための最良の形態】
【００１４】
以下、本発明を実施するための最良の形態を実施例に基づき説明する。なお、本実施例において、本発明建築用防音パネルをフェンスパネルとして用いた例について説明するが、門扉パネルあるいは簡易構築物のサイドパネル等に用いても構わない。
図１乃至図３は本発明建築用防音パネルの第一実施例であり、建築用防音パネル１は平行に立設したパネル部２を有し、パネル部２の周囲が枠体３によって囲われている。パネル部２は、上下方向に分割した複数のパネル材４によって形成しており、該パネル材４は水平方向に連続した同一断面形状を有するアルミニウム製押出形材によって形成されている。さらにパネル材４は、断面が略Ｈ状を呈する連結パネル材４１と、断面略Ｉ字状を呈する中間パネル材４２との２種類の形態がある。
【００１５】
連結パネル材４１は中間部に連結壁部４１１が形成され、連結壁部４１１を挟んで両側に垂直壁部４１２が形成されている。連結壁部４１１の中央位置には一部が切り欠かれたビスホール４１３が形成され、該ビスホール４１３には縦枠３１の透孔を挿通するタッピング螺子５が螺入し、連結パネル材４１が縦枠３１に固定される。
垂直壁部４１２の上下端には、係合縁４１４が形成され、上端には雌型係合縁４１４１、下端には雄型係合縁４１４２が形成されている。
【００１６】
一方、中間パネル材４２には垂直壁部４２２が形成され、垂直壁部４２２の上下端には、係合縁４２４が形成されている。上端に位置する係合縁４２４は雌型係合縁４２４１であり、下端に位置する係合縁４２４は雄型係合縁４２４２である。連結パネル材４１に形成した、雌型係合縁４１４１と雄型係合縁４１４２は、中間パネル材４２に形成した雌型係合縁４２４１と雄型係合縁４２４２と夫々同一断面形状となっている。
【００１７】
パネル材４によってパネル部２を形成するには、連結パネル材４１の雌型係合縁４１４１に、上方に隣接する中間パネル材４２の雄型係合縁４２４２を係合し、連結パネル材４１の雄型係合縁４１４２に下方に隣接する中間パネル材４２の雌型係合縁４２４１を係合して、連結パネル材４１と中間パネル材４２が上下方向に交互に配設して形成される。そして平行に配置される垂直壁部４１２，４２２の間には、グラスウールから成る吸音材６が設けられる。吸音材としてはグラスウールの他、ロックウール、発泡ポリウレタン、発泡樹脂等が使用される。
【００１８】
垂直壁部４１２，４２２には、補強溝４１５，４２５が上下三箇所にわたって平行に設けられており、垂直壁部４１２，４２２の強度を高めている。さらに、補強溝４１５，４２５は断面略Ｖ字状を呈しており、補強溝４１５，４２５の位置で音の乱反射が生じ、音を打ち消す作用が生じる。
【００１９】
図１中上端に位置するパネル材４は断面略コ字状を呈しており、上面に係合溝４３を平行に設け、この係合溝４３に上横枠３２の下面に形成した係合突条３２１を係合しているが、連結パネル材４１あるいは中間パネル４２の雌型係合縁４１４１，４２４１と、上横枠３２の係合突条３２１を直に係合しても構わない。
以上の構成からなる建築用防音パネル１は、所定の間隔をおいて立設した支柱に固着され、防音フェンスとして使用される。断面が略Ｈ状を呈する連結パネル材４１と、断面略Ｉ字状を呈する中間パネル材４２とを組み合わせることにより、連結パネル材４１によってパネル部に所定の強度を付与すると共に、連結壁部のない中間パネル材４２は透過損失が大きくなるので、防音効果を高めることができる。
【００２０】
次に、図４乃至５は本発明建築用防音パネルの第二実施例であり、第一実施例と同じ構成については、同一符号を付しその説明を省略する。第一実施例と異なる点は、パネル材４が断面略Ｈ状の連結パネル材４１のみから構成され、連結パネル材４１の係合縁４１４の断面形状が相違する点である。
【００２１】
本第二実施例における雌型係合縁４１４１と雄型係合縁４１４２は、断面渦巻き形状を呈しており、図４中右側に位置する雄型係合縁４１４２は上下位置調整自在となっている。さらに詳細に説明すると、連結パネル材４１の本体部である垂直壁部４１２の下縁に、下向きに開口した断面コ字状の移動空間部４１６を形成し、該移動空間部４１６に連結部材４１７の基端部４１７１を嵌合している。連結部材４１７の先端部には雄型係合縁４１４２が形成され、下方に隣接する連結パネル材４１の雌型係合縁４１４１と係合する。連結部材４１７は移動空間部４１６に対して出入自在となっているので、連結部材４１７の出入量を調整することにより、表面側と裏面側（図４あるいは図５において、左側と右側）のパネル部４の上下方向における長さを変化することができ、図５に示したとおり上下方向に湾曲した建築用防音パネル１を形成することができる。
雌型係合縁４１４１と雄型係合縁４１４２は、断面渦巻き形状を呈しているので、図中左側の雌型係合縁４１４１と雄型係合縁４１４２の係合部を中心として、連結パネル材４１を傾斜することができる。
【００２２】
本第二実施例による建築用防音パネル１によれば、道路の側部に設置する防音フェンスの上端部に適用することにより、パネル部２を道路側に向けて湾曲形成すれば、自動車等の騒音に対する防音効果を高めることができる。
【００２３】
次に図６は本発明建築用防音パネルの第三実施例であり、第一実施例と同じ構成については、同一符号を付しその説明を省略する。第一実施例と異なる点は、建築用防音パネル１の中間位置に透光部７を形成した点であり、パネル材４間に透光窓材８が設けられている。
透光窓材８は図７に示したとおり、透光可能なポリカーボネート材料から成る透光板８１の周囲を、窓枠８２によって囲ったものである。本実施例において透光板８１には、ポリカーボネート板を使用したが、アクリル板、ガラス板等を使用しても構わない。窓枠８２は、上窓枠８２１と下窓枠８２２を縦枠８２３に螺子止して矩形状に形成されている。上窓枠８２１の両側には雌型係合縁８２１１が形成され、下窓枠８２２は両側には雄型係合縁８２２１が形成されている。雌型係合縁８２１１は上方に隣接する連結パネル材４１の雄型係合縁４１４２と係合し、雄型係合縁８２２１は下方に隣接する連結パネル材４１の雌型係合縁４１４１と係合する。
【００２４】
このようにして、パネル部２の中間位置に透光部７が形成される。建築用防音パネルは吸音材を有するため、パネル部２を透視することができず、建築用防音パネルで囲われた内部が暗くなりがちである。本実施例によれば、透光部７を形成した透光窓材８の上下端に係合縁８２１１，８２２１し、この係合縁８２１１，８２２１をパネル材４のパネル材４の係合縁４１４２，４１４１を係合したので、パネル部２の適宜位置に透光部７を簡単に設けることができる。
【図面の簡単な説明】
【００２５】
【図１】本発明建築用防音パネルの要部拡大縦断面図
【図２】本発明建築用防音パネルの全体正面図
【図３】本発明建築用防音パネルの全体側面図
【図４】本発明建築用防音パネルの第二実施例における要部拡大縦断面図
【図５】本発明建築用防音パネルの第二実施例における使用状態を表わす全体縦断面図
【図６】本発明建築用防音パネルの第三実施例における要部拡大縦断面図
【図７】本発明建築用防音パネルの第三実施例における一部を欠損した透光窓材の全体正面図
【符号の説明】
【００２６】
１      建築用防音パネル
２      パネル部
４      パネル材
６      吸音材
７      透光部
８      透光窓材
４１      連結パネル材
４２      中間パネル材
４１４，４２４      係合縁
４１６      移動空間部
４１７      連結部材
【図１】
2006283311.tif 000003
【図２】
2006283311.tif 000004
【図３】
2006283311.tif 000005
【図４】
2006283311.tif 000006
【図５】
2006283311.tif 000007
【図６】
2006283311.tif 000008
【図７】
2006283311.tif 000009